(57)【要約】【課題】ディスプレイ用カバーガラスを研磨する際の作業効率を向上させる。【解決手段】研磨装置１００を用いて、表面、裏面、端面、および開口部を有するディスプレイ用カバーガラス５０を研磨するディスプレイ用カバーガラスの研磨方法であって、研磨装置１００は、複数の第１研磨ローラー１１〜１５と、複数の第２研磨ローラー２１〜２５とを備え、複数の第１研磨ローラー１１〜１５および複数の第２研磨ローラー２１〜２５を回転させながらディスプレイ用カバーガラス５０に対して摺接させることによって、ディスプレイ用カバーガラス５０を搬送経路に沿って搬送し、遊離砥粒を用いてディスプレイ用カバーガラス５０の表面、裏面、端面、および開口部を研磨する。【選択図】図２
2013220486.tif 000002
【特許請求の範囲】
【請求項１】
研磨装置を用いて、表面、裏面、端面、および開口部を有するディスプレイ用カバーガラスを研磨するディスプレイ用カバーガラスの研磨方法であって、
前記研磨装置は、
前記ディスプレイ用カバーガラスの搬送経路に沿って並ぶ複数の第１研磨ローラーと、
前記搬送経路に沿って並び、前記搬送経路を挟んで複数の前記第１研磨ローラーの反対側に配置された複数の第２研磨ローラーと、
遊離砥粒供給部材と、を備え、
複数の前記第１研磨ローラーおよび複数の前記第２研磨ローラーを回転させながら前記ディスプレイ用カバーガラスに対して摺接させることによって、前記ディスプレイ用カバーガラスを前記搬送経路に沿って搬送し、前記遊離砥粒供給部材から供給される遊離砥粒を用いて前記ディスプレイ用カバーガラスの前記表面、前記裏面、前記端面、および前記開口部を研磨する、
ディスプレイ用カバーガラスの研磨方法。
【請求項２】
複数の前記第１研磨ローラーおよび複数の前記第２研磨ローラーは、回転方向および回転数が異なるように回転する、
請求項１に記載のディスプレイ用カバーガラスの研磨方法。
【請求項３】
複数の前記第１研磨ローラーおよび複数の前記第２研磨ローラーは、前記ディスプレイ用カバーガラスの搬送方向に沿う方向に回転するものと、前記ディスプレイ用カバーガラスの搬送方向とは反対方向に沿う方向に回転するものとが、前記搬送経路に沿って交互に並べられている、
請求項２に記載のディスプレイ用カバーガラスの研磨方法。
【請求項４】
複数の前記第１研磨ローラーおよび複数の前記第２研磨ローラーは、所定の回転数で回転するものと、前記所定の回転数よりも小さい回転数で回転するものとが、前記搬送経路に沿って交互に並べられている、
請求項２または３に記載のディスプレイ用カバーガラスの研磨方法。
【請求項５】
複数の前記第１研磨ローラーおよび複数の前記第２研磨ローラーは、前記ディスプレイ用カバーガラスを研磨するために用いる研磨部材が異なるように設けられている、
請求項１から４のいずれかに記載のディスプレイ用カバーガラスの研磨方法。
【請求項６】
前記研磨装置は、
複数の前記第１研磨ローラーおよび複数の前記第２研磨ローラーよりも前記搬送経路の下流側において、前記搬送経路を挟んで互いに反対側に配置された複数の第１洗浄ローラーおよび複数の第２洗浄ローラーと、
洗浄液供給部材と、をさらに備え、
複数の前記第１洗浄ローラーおよび複数の前記第２洗浄ローラーを回転させながら研磨後の前記ディスプレイ用カバーガラスに対して摺接させることによって、前記ディスプレイ用カバーガラスを前記搬送経路に沿って搬送するとともに、前記洗浄液供給部材から供給される洗浄液を用いて前記ディスプレイ用カバーガラスの前記表面、前記裏面、前記端面、および前記開口部をスクラブ洗浄する、
請求項１から５のいずれかに記載のディスプレイ用カバーガラスの研磨方法。
【請求項７】
表面、裏面、端面、および開口部を有するディスプレイ用カバーガラスを研磨するディスプレイ用カバーガラスの研磨装置であって、
前記ディスプレイ用カバーガラスの搬送経路に沿って並ぶ複数の第１研磨ローラーと、
前記搬送経路に沿って並び、前記搬送経路を挟んで複数の前記第１研磨ローラーの反対側に配置された複数の第２研磨ローラーと、
遊離砥粒供給部材と、を備え、
複数の前記第１研磨ローラーおよび複数の前記第２研磨ローラーは、回転しながら前記ディスプレイ用カバーガラスに対して摺接することによって、前記ディスプレイ用カバーガラスを前記搬送経路に沿って搬送するとともに、前記遊離砥粒供給部材から供給される遊離砥粒を用いて前記ディスプレイ用カバーガラスの前記表面、前記裏面、前記端面、および前記開口部を研磨する、
ディスプレイ用カバーガラスの研磨装置。
【請求項８】
複数の前記第１研磨ローラーおよび複数の前記第２研磨ローラーは、回転方向および回転数が異なるように設けられている、
請求項７に記載のディスプレイ用カバーガラスの研磨装置。
【請求項９】
複数の前記第１研磨ローラーおよび複数の前記第２研磨ローラーは、前記ディスプレイ用カバーガラスの搬送方向に沿う方向に回転するものと、前記ディスプレイ用カバーガラスの搬送方向とは反対方向に沿う方向に回転するものとが、前記搬送経路に沿って交互に並べられている、
請求項８に記載のディスプレイ用カバーガラスの研磨装置。
【請求項１０】
複数の前記第１研磨ローラーおよび複数の前記第２研磨ローラーは、所定の回転数で回転するものと、前記所定の回転数よりも小さい回転数で回転するものとが、前記搬送経路に沿って交互に並べられている、
請求項８または９に記載のディスプレイ用カバーガラスの研磨装置。
【請求項１１】
複数の前記第１研磨ローラーおよび複数の前記第２研磨ローラーは、前記ディスプレイ用カバーガラスを研磨するために用いる研磨部材が異なるように設けられている、
請求項７から１０のいずれかに記載のディスプレイ用カバーガラスの研磨装置。
【請求項１２】
複数の前記第１研磨ローラーおよび複数の前記第２研磨ローラーよりも前記搬送経路の下流側において、前記搬送経路を挟んで互いに反対側に配置された複数の第１洗浄ローラーおよび複数の第２洗浄ローラーと、
洗浄液供給部材と、をさらに備え、
複数の前記第１洗浄ローラーおよび複数の前記第２洗浄ローラーは、回転しながら研磨後の前記ディスプレイ用カバーガラスに対して摺接することによって、前記ディスプレイ用カバーガラスを前記搬送経路に沿って搬送するとともに、前記洗浄液供給部材から供給される洗浄液を用いて前記ディスプレイ用カバーガラスの前記表面、前記裏面、前記端面、および前記開口部をスクラブ洗浄する、
請求項７から１１のいずれかに記載のディスプレイ用カバーガラスの研磨装置。
【発明の詳細な説明】
【技術分野】
【０００１】
本発明は、ディスプレイ用カバーガラスを研磨するディスプレイ用カバーガラスの研磨方法および研磨装置に関する。
【背景技術】
【０００２】
近年、ディスプレイ用カバーガラスは、携帯電話またはタブレット型のＰＣ（Personal  computer）などの各種のディスプレイ装置に用いられている。ディスプレイ用カバーガラスの表面および裏面には、高い平滑性が求められる。一般的に、ディスプレイ用カバーガラスの表面および裏面には、鏡面加工が施され、ディスプレイ用カバーガラスの端面、およびディスプレイ用カバーガラスに設けられた開口部には、所定の面取り加工が施される。
【０００３】
特開平０８−３２５０４０号公報（特許文献１）には、複数平行溝内の鏡面加工方法に関する発明が開示されている。当該方法においては、回転体の外周に植毛されてなる回転ブラシが用いられる。ガラス基板に遊離砥粒を供給し、回転ブラシを回動および移動させることによって、ガラス基板に設けられた複数の平行溝の内面が鏡面加工される。
【０００４】
特表２００９−５０２７２１号公報（特許文献２）には、板ガラスを後処理する方法に関する発明が開示されている。当該方法は、研磨ヘッドを用いて板ガラス基板を研磨することを含む。
【０００５】
特開２００７−２８４２７０号公報（特許文献３）には、ガラス板の表面傷部の平滑化方法に関する発明が開示されている。当該方法においては、歪点が５００℃以上のガラス板を予熱することなしに、ガラス板の表面傷部に炭酸ガスレーザーによりパルスレーザー光線を照射することによって、ガラス板の表面が平滑化される。
【０００６】
特開２０１１−０２６１９５号公報（特許文献４）には、ガラス板のエッジの面取り方法に関する発明が開示されている。当該方法においては、ガラス板が支持治具に結合され、ガラス板の第１エッジは第１の研磨ホイールに接触され、ガラス板の第２エッジは第２の研磨ホイールに接触される。
【０００７】
特開平１１−０７７５００号公報（特許文献５）には、ガラス板端部の加工方法に関する発明が開示されている。当該方法においては、所定寸法にガラス板を切断した後に、ガラス板切断端面を切断した状態のままで研削せずに、端面両端側の稜部のみが研削される。
【先行技術文献】
【特許文献】
【０００８】
【特許文献１】特開平０８−３２５０４０号公報
【特許文献２】特表２００９−５０２７２１号公報
【特許文献３】特開２００７−２８４２７０号公報
【特許文献４】特開２０１１−０２６１９５号公報
【特許文献５】特開平１１−０７７５００号公報
【発明の概要】
【発明が解決しようとする課題】
【０００９】
特開平０８−３２５０４０号公報（特許文献１）および特表２００９−５０２７２１号公報（特許文献２）に開示されている研磨装置ないし研磨方法においては、１回の研磨作業で研磨対象物の片方の面のみが研磨される。仮に、これらの研磨方法ないし研磨装置を用いて研磨対象物の両方の面を研磨しようとした場合、２回の研磨作業が必要となる。
【００１０】
特開２００７−２８４２７０号公報（特許文献３）に開示されている方法では、パルスレーザー光線を照射することによってガラス板の表面が平滑化される。しかしながら、１回の作業でガラス板の片方の面のみが平滑化されるか、または、１回の作業でガラス板の両方の面が平滑化されるかについては、この公報には特に記載されていない。ガラス板の端面処理についても、この公報には特に記載されていない。
【００１１】
特開２０１１−０２６１９５号公報（特許文献４）および特開平１１−０７７５００号公報（特許文献５）に開示されている方法は、ガラス板の端面に向けた発明であって、ガラス板の表面を研磨するものではない。
【００１２】
本発明は、上述のような背景に鑑みてなされたものであって、ディスプレイ用カバーガラスを研磨する際の作業効率を向上させることが可能なディスプレイ用カバーガラスの研磨方法および研磨装置を提供することを目的とする。
【課題を解決するための手段】
【００１３】
本発明に基づくディスプレイ用カバーガラスの研磨方法は、研磨装置を用いて、表面、裏面、端面、および開口部を有するディスプレイ用カバーガラスを研磨するディスプレイ用カバーガラスの研磨方法であって、上記研磨装置は、上記ディスプレイ用カバーガラスの搬送経路に沿って並ぶ複数の第１研磨ローラーと、上記搬送経路に沿って並び、上記搬送経路を挟んで複数の上記第１研磨ローラーの反対側に配置された複数の第２研磨ローラーと、遊離砥粒供給部材と、を備え、複数の上記第１研磨ローラーおよび複数の上記第２研磨ローラーを回転させながら上記ディスプレイ用カバーガラスに対して摺接させることによって、上記ディスプレイ用カバーガラスを上記搬送経路に沿って搬送し、上記遊離砥粒供給部材から供給される遊離砥粒を用いて上記ディスプレイ用カバーガラスの上記表面、上記裏面、上記端面、および上記開口部を研磨する。
【００１４】
好ましくは、複数の上記第１研磨ローラーおよび複数の上記第２研磨ローラーは、回転方向および回転数が異なるように回転する。
【００１５】
好ましくは、複数の上記第１研磨ローラーおよび複数の上記第２研磨ローラーは、上記ディスプレイ用カバーガラスの搬送方向に沿う方向に回転するものと、上記ディスプレイ用カバーガラスの搬送方向とは反対方向に沿う方向に回転するものとが、上記搬送経路に沿って交互に並べられている。
【００１６】
好ましくは、複数の上記第１研磨ローラーおよび複数の上記第２研磨ローラーは、所定の回転数で回転するものと、上記所定の回転数よりも小さい回転数で回転するものとが、上記搬送経路に沿って交互に並べられている。
【００１７】
好ましくは、複数の上記第１研磨ローラーおよび複数の上記第２研磨ローラーは、上記ディスプレイ用カバーガラスを研磨するために用いる研磨部材が異なるように設けられている。
【００１８】
好ましくは、上記研磨装置は、複数の上記第１研磨ローラーおよび複数の上記第２研磨ローラーよりも上記搬送経路の下流側において、上記搬送経路を挟んで互いに反対側に配置された複数の第１洗浄ローラーおよび複数の第２洗浄ローラーと、洗浄液供給部材と、をさらに備え、複数の上記第１洗浄ローラーおよび複数の上記第２洗浄ローラーを回転させながら研磨後の上記ディスプレイ用カバーガラスに対して摺接させることによって、上記ディスプレイ用カバーガラスを上記搬送経路に沿って搬送するとともに、上記洗浄液供給部材から供給される洗浄液を用いて上記ディスプレイ用カバーガラスの上記表面、上記裏面、上記端面、および上記開口部をスクラブ洗浄する。
【００１９】
本発明に基づく研磨装置は、表面、裏面、端面、および開口部を有するディスプレイ用カバーガラスを研磨するディスプレイ用カバーガラスの研磨装置であって、上記ディスプレイ用カバーガラスの搬送経路に沿って並ぶ複数の第１研磨ローラーと、上記搬送経路に沿って並び、上記搬送経路を挟んで複数の上記第１研磨ローラーの反対側に配置された複数の第２研磨ローラーと、遊離砥粒供給部材と、を備え、複数の上記第１研磨ローラーおよび複数の上記第２研磨ローラーは、回転しながら上記ディスプレイ用カバーガラスに対して摺接することによって、上記ディスプレイ用カバーガラスを上記搬送経路に沿って搬送するとともに、上記遊離砥粒供給部材から供給される遊離砥粒を用いて上記ディスプレイ用カバーガラスの上記表面、上記裏面、上記端面、および上記開口部を研磨する。
【００２０】
好ましくは、複数の上記第１研磨ローラーおよび複数の上記第２研磨ローラーは、回転方向および回転数が異なるように設けられている。
【００２１】
好ましくは、複数の上記第１研磨ローラーおよび複数の上記第２研磨ローラーは、上記ディスプレイ用カバーガラスの搬送方向に沿う方向に回転するものと、上記ディスプレイ用カバーガラスの搬送方向とは反対方向に沿う方向に回転するものとが、上記搬送経路に沿って交互に並べられている。
【００２２】
好ましくは、複数の上記第１研磨ローラーおよび複数の上記第２研磨ローラーは、所定の回転数で回転するものと、上記所定の回転数よりも小さい回転数で回転するものとが、上記搬送経路に沿って交互に並べられている。
【００２３】
好ましくは、複数の上記第１研磨ローラーおよび複数の上記第２研磨ローラーは、上記ディスプレイ用カバーガラスを研磨するために用いる研磨部材が異なるように設けられている。
【００２４】
好ましくは、複数の上記第１研磨ローラーおよび複数の上記第２研磨ローラーよりも上記搬送経路の下流側において、上記搬送経路を挟んで互いに反対側に配置された複数の第１洗浄ローラーおよび複数の第２洗浄ローラーと、洗浄液供給部材と、をさらに備え、複数の上記第１洗浄ローラーおよび複数の上記第２洗浄ローラーは、回転しながら研磨後の上記ディスプレイ用カバーガラスに対して摺接することによって、上記ディスプレイ用カバーガラスを上記搬送経路に沿って搬送するとともに、上記洗浄液供給部材から供給される洗浄液を用いて上記ディスプレイ用カバーガラスの上記表面、上記裏面、上記端面、および上記開口部をスクラブ洗浄する。
【発明の効果】
【００２５】
本発明によれば、ディスプレイ用カバーガラスを研磨する際の作業効率を向上させることが可能なディスプレイ用カバーガラスの研磨方法および研磨装置を得ることができる。
【図面の簡単な説明】
【００２６】
【図１】実施の形態１における研磨装置を示す斜視図である。
【図２】実施の形態１における研磨装置を示す断面図である。
【図３】実施の形態１における研磨装置を用いて研磨することができるディスプレイ用カバーガラスを示す平面図である。
【図４】図３中のＩＶ−ＩＶ線に沿った矢視断面図である。
【図５】図３中のＶ−Ｖ線に沿った矢視断面図である。
【図６】実施の形態１における研磨装置を用いて研磨されたディスプレイ用カバーガラスを示す断面図である。
【図７】実施の形態２における研磨装置を示す断面図である。
【図８】実施の形態３における研磨装置を示す断面図である。
【図９】実施の形態４における研磨装置を示す断面図である。
【図１０】実施の形態５における研磨装置を示す断面図である。
【図１１】実施の形態１〜５の変形例における研磨装置に用いられる第１研磨ローラーを示す図である。
【図１２】実施の形態１〜５の変形例における研磨装置に用いられる第２研磨ローラーを示す図である。
【図１３】実施の形態６における研磨装置を示す斜視図である。
【図１４】実施の形態７における研磨装置を示す斜視図である。
【図１５】各実施の形態における研磨装置を用いて研磨することができるディスプレイ用カバーガラスの第１変形例を示す平面図である。
【図１６】図１５中のＸＶＩ−ＸＶＩ線に沿った矢視断面図である。
【図１７】図１５中のＸＶＩＩ−ＸＶＩＩ線に沿った矢視断面図である。
【図１８】実施の形態１における研磨装置を用いて、第１変形例に係るディスプレイ用カバーガラスを研磨する際の様子を示す断面図である。
【図１９】各実施の形態における研磨装置を用いて研磨することができるディスプレイ用カバーガラスの第２変形例を示す平面図である。
【図２０】図１９中のＸＸ−ＸＸ線に沿った矢視断面図である。
【図２１】図１９中のＸＸＩ−ＸＸＩ線に沿った矢視断面図である。
【図２２】実施の形態１における研磨装置を用いて、第２変形例に係るディスプレイ用カバーガラスを研磨する際の様子を示す断面図である。
【図２３】各実施の形態における研磨装置を用いて研磨することができるディスプレイ用カバーガラスの第３変形例を示す平面図である。
【図２４】図２３中のＸＸＩＶ−ＸＸＩＶ線に沿った矢視断面図である。
【図２５】図２３中のＸＸＶ−ＸＸＶ線に沿った矢視断面図である。
【図２６】実施の形態１における研磨装置を用いて、第３変形例に係るディスプレイ用カバーガラスを研磨する際の様子を示す断面図である。
【発明を実施するための形態】
【００２７】
本発明に基づいた各実施の形態について、以下、図面を参照しながら説明する。各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。特に制限が無い限り、各実施の形態に示す構成に示す構成を適宜組み合わせて用いることは、当初から予定されていることである。
【００２８】
［実施の形態１］
（研磨装置１００）
図１は、本実施の形態における研磨装置１００を示す斜視図である。図２は、研磨装置１００を示す断面図である。
【００２９】
図１および図２に示すように、研磨装置１００および研磨装置１００を用いた研磨方法は、ディスプレイ用カバーガラス５０を研磨するために用いられる。研磨装置１００は、ディスプレイ用カバーガラス５０の搬送経路に沿って並ぶ複数の第１研磨ローラー１１〜１５と、ディスプレイ用カバーガラス５０の搬送経路に沿って並ぶ複数の第２研磨ローラー２１〜２５と、複数の遊離砥粒供給部材４０と、を備える。
【００３０】
第１研磨ローラー１１〜１５は、ディスプレイ用カバーガラス５０の搬送方向（矢印ＡＲ方向）に沿って順に並んでいる。第１研磨ローラー１１〜１５の回転軸は、互いに平行な位置関係にある。第２研磨ローラー２１〜２５も、ディスプレイ用カバーガラス５０の搬送方向（矢印ＡＲ方向）に沿って順に並んでいる。第２研磨ローラー２１〜２５の回転軸も、互いに平行な位置関係にある。
【００３１】
第１研磨ローラー１１〜１５および第２研磨ローラー２１〜２５は、ディスプレイ用カバーガラス５０の搬送経路を挟んで互いに反対側に位置している。遊離砥粒供給部材４０は、第１研磨ローラー１１〜１５および第２研磨ローラー２１〜２５によって搬送されるディスプレイ用カバーガラス５０に対して遊離砥粒（図示せず）を供給可能なように、所定の箇所に配置されている。
【００３２】
図２を参照して、第１研磨ローラー１１〜１５は、表面に植えられた研磨部材（研磨ブラシまたは研磨布など）が、ディスプレイ用カバーガラス５０の搬送方向（矢印ＡＲ方向）に沿って回転移動するように、矢印ＡＲ１方向に回転する。第２研磨ローラー２１〜２５も、表面に植えられた研磨部材（研磨ブラシまたは研磨布など）が、ディスプレイ用カバーガラス５０の搬送方向（矢印ＡＲ方向）に沿って回転移動するように、矢印ＡＲ２方向に回転する。
【００３３】
第１研磨ローラー１１〜１５および第２研磨ローラー２１〜２５は、ディスプレイ用カバーガラス５０をその搬送経路の前方に向かって送り出すように回転する。当該構成によって、第１研磨ローラー１１〜１５および第２研磨ローラー２１〜２５は、回転しながらディスプレイ用カバーガラス５０に摺接し、ディスプレイ用カバーガラス５０をその搬送経路に沿って矢印ＡＲ方向に搬送することができる。
【００３４】
要求される研磨の程度等に応じて、各研磨ローラーの回転方向、回転数、各研磨ローラーに用いられる研磨部材のディスプレイ用カバーガラス５０に対する圧接力、および、各研磨ローラーに用いられる研磨部材の種類などを異ならせてもよい。
【００３５】
図３は、研磨装置１００（図１および図２参照）を用いて研磨することができるディスプレイ用カバーガラス５０を示す平面図である。図４は、図３中のＩＶ−ＩＶ線に沿った矢視断面図である。図５は、図３中のＶ−Ｖ線に沿った矢視断面図である。
【００３６】
図３〜図５に示すように、ディスプレイ用カバーガラス５０は、全体として薄い平板状の形状を有し、端面５５の４つの角部は丸く形成されている。ディスプレイ用カバーガラス５０の長手方向の一方寄りの部分には、たとえば携帯電話のスピーカーなどを露出させるための開口部５３が設けられている。開口部５３は、ディスプレイ用カバーガラス５０の表面５１から裏面５２に貫通している。
【００３７】
ディスプレイ用カバーガラス５０の長手方向の他方寄りの部分には、たとえば携帯電話の押しボタンなどを露出させるための開口部５４が設けられている。開口部５４も、ディスプレイ用カバーガラス５０の表面５１から裏面５２に貫通している。
【００３８】
図３〜図５に示すディスプレイ用カバーガラス５０は、研磨装置１００によって研磨される前の状態である。ディスプレイ用カバーガラス５０の表面５１、裏面５２、開口部５３、開口部５４、および端面５５は、未だ研磨されていない状態にある。
【００３９】
（研磨方法）
図１および図２を再び参照して、ディスプレイ用カバーガラス５０は、搬送ベルト３０（図１参照）などの搬送手段を用いて、第１研磨ローラー１１および第２研磨ローラー２１の間に送り込まれる。第１研磨ローラー１１〜１５および第２研磨ローラー２１〜２５は、回転しながらディスプレイ用カバーガラス５０に順に摺接し、ディスプレイ用カバーガラス５０をその搬送経路に沿って矢印ＡＲ方向に搬送する。
【００４０】
第１研磨ローラー１１〜１５は、遊離砥粒供給部材４０から供給される遊離砥粒を用いて、ディスプレイ用カバーガラス５０の表面５１を研磨するとともに、開口部５３の表面５１側の部分、開口部５４の表面５１側の部分、および、端面５５の表面５１側の部分をそれぞれ研磨する。第２研磨ローラー２１〜２５は、遊離砥粒供給部材４０から供給される遊離砥粒を用いて、ディスプレイ用カバーガラス５０の裏面５２を研磨するとともに、開口部５３の裏面５２側の部分、開口部５４の裏面５２側の部分、および、端面５５の裏面５２側の部分をそれぞれ研磨する。
【００４１】
図６は、研磨装置１００を用いて研磨されたディスプレイ用カバーガラス５０を示す断面図である。図６に示すように、研磨後のディスプレイ用カバーガラス５０の表面５１および裏面５２は、各々の面に存在していた欠陥が改善されるとともに、所定の表面粗さに仕上げられる。開口部５３，５４の表面５１側および裏面５２側の部分はそれぞれ面取り加工処理され、端面５５の表面５１側および裏面５２側の部分もそれぞれ面取り加工処理される。
【００４２】
研磨装置１００および研磨装置１００を用いた研磨方法によれば、ディスプレイ用カバーガラス５０の表裏面に存在していた欠陥の改善（換言すると、ディスプレイ用カバーガラス５０の表裏面に対する鏡面加工処理）と、ディスプレイ用カバーガラス５０の開口部５３，５４および端面５５における面取り加工処理とを同時に行うことができる。研磨装置１００および研磨装置１００を用いた研磨方法によれば、ディスプレイ用カバーガラス５０を研磨する際の作業効率を向上させることが可能となっている。
【００４３】
［実施の形態２］
（研磨装置２００）
図７は、本実施の形態における研磨装置２００を示す断面図である。研磨装置２００および研磨装置２００を用いた研磨方法においては、第１研磨ローラー１１，１３，１５が矢印ＡＲ１方向に回転し、第１研磨ローラー１２，１４は矢印ＡＲ３方向に回転する。矢印ＡＲ１方向と矢印ＡＲ３方向とは逆向きである。さらに、第２研磨ローラー２１，２３，２５が矢印ＡＲ２方向に回転し、第２研磨ローラー２２，２４は矢印ＡＲ４方向に回転する。矢印ＡＲ２方向と矢印ＡＲ４方向とは逆向きである。
【００４４】
第１研磨ローラー１１，１３，１５と第１研磨ローラー１２，１４とは、回転方向が異なっており、ディスプレイ用カバーガラス５０の搬送方向に沿う方向に回転するものと、ディスプレイ用カバーガラス５０の搬送方向とは反対方向に回転するものとが、ディスプレイ用カバーガラス５０の搬送経路に沿って交互に並べられている。
【００４５】
第２研磨ローラー２１，２３，２５と第２研磨ローラー２２，２４とは、回転方向が異なっており、ディスプレイ用カバーガラス５０の搬送方向に沿う方向に回転するものと、ディスプレイ用カバーガラス５０の搬送方向とは反対方向に回転するものとが、ディスプレイ用カバーガラス５０の搬送経路に沿って交互に並べられている。
【００４６】
要求される研磨の程度等に応じて、第１研磨ローラー１１〜１５の回転速度および第２研磨ローラー２１〜２５の回転速度を異ならせてもよい。研磨装置２００によれば、第１研磨ローラー１２，１４および第２研磨ローラー２２，２４が、ディスプレイ用カバーガラス５０の搬送を遅らせる方向に作用するため、ディスプレイ用カバーガラス５０に対する研磨レートを向上させることが可能となる。
【００４７】
第１研磨ローラー１１，１３，１５と第１研磨ローラー１２，１４との回転方向が異なっており、第２研磨ローラー２１，２３，２５と第２研磨ローラー２２，２４との回転方向が異なっているため、遊離砥粒供給部材４０から供給された遊離砥粒は、ディスプレイ用カバーガラス５０の近傍において乱流を形成しやすくなっている。遊離砥粒が一部の領域に集まることが抑制されているため、研磨ムラの発生を低減することも可能となっている。
【００４８】
［実施の形態３］
（研磨装置３００）
図８は、本実施の形態における研磨装置３００を示す断面図である。研磨装置３００および研磨装置３００を用いた研磨方法においては、第１研磨ローラー１１〜１５が矢印ＡＲ１方向に回転し、第２研磨ローラー２１〜２５が矢印ＡＲ４方向に回転する。
【００４９】
研磨装置３００によれば、第１研磨ローラー１１〜１５がディスプレイ用カバーガラス５０を搬送方向の前方に送り出す方向に回転し、第２研磨ローラー２１〜２５が、ディスプレイ用カバーガラス５０の搬送を遅らせる方向に作用するため、ディスプレイ用カバーガラス５０に対する研磨レートを向上させることが可能となる。
【００５０】
要求される研磨の程度等に応じて、各研磨ローラーの回転数、各研磨ローラーに用いられる研磨部材のディスプレイ用カバーガラス５０に対する圧接力、および、各研磨ローラーに用いられる研磨部材の種類などを異ならせてもよい。
【００５１】
［実施の形態４］
（研磨装置４００）
図９は、本実施の形態における研磨装置４００を示す断面図である。研磨装置４００および研磨装置４００を用いた研磨方法においては、第１研磨ローラー１１，１３，１５が矢印ＡＲ１ａ方向に回転し、第１研磨ローラー１２，１４が矢印ＡＲ１ｂ方向に回転し、第２研磨ローラー２１，２３，２５が矢印ＡＲ４ｂ方向に回転し、第２研磨ローラー２２，２４が矢印ＡＲ４ａ方向に回転する。
【００５２】
第１研磨ローラー１１，１３，１５の回転方向と第１研磨ローラー１２，１４の回転方向とは同一である。第１研磨ローラー１１，１３，１５は、所定の回転数で回転し、第１研磨ローラー１２，１４は、その所定の回転数よりも小さい回転数で回転する。第１研磨ローラー１１，１３，１５と第１研磨ローラー１２，１４とは、所定の回転数で回転するものと、その所定の回転数よりも小さい回転数で回転するものとが、ディスプレイ用カバーガラス５０の搬送経路に沿って交互に並べられている。
【００５３】
第２研磨ローラー２１，２３，２５の回転方向と第２研磨ローラー２２，２４の回転方向とは同一である。第２研磨ローラー２２，２４は、所定の回転数で回転し、第２研磨ローラー２１，２３，２５は、その所定の回転数よりも小さい回転数で回転する。第２研磨ローラー２１，２３，２５と第２研磨ローラー２２，２４とは、所定の回転数で回転するものと、その所定の回転数よりも小さい回転数で回転するものとが、ディスプレイ用カバーガラス５０の搬送経路に沿って交互に並べられている。
【００５４】
研磨装置４００によれば、研磨レートを向上させることができ、研磨ムラの発生を低減することが可能となっている。第１研磨ローラー１１，１３，１５の回転数と第２研磨ローラー２２，２４の回転数とは、同一であってもよく、異なっていてもよい。第１研磨ローラー１２，１４の回転数と第２研磨ローラー２１，２３，２５の回転数とは、同一であってもよく、異なっていてもよい。
【００５５】
［実施の形態５］
（研磨装置５００）
図１０は、本実施の形態における研磨装置５００を示す断面図である。研磨装置５００および研磨装置５００を用いた研磨方法においては、第１研磨ローラー１１，１３，１５が矢印ＡＲ１ａ方向に回転し、第１研磨ローラー１２，１４が矢印ＡＲ３ｂ方向に回転し、第２研磨ローラー２１，２３，２５が矢印ＡＲ４ｂ方向に回転し、第２研磨ローラー２２，２４が矢印ＡＲ２ａ方向に回転する。
【００５６】
第１研磨ローラー１１，１３，１５の回転方向と第１研磨ローラー１２，１４の回転方向とは逆向きである。第１研磨ローラー１１，１３，１５は、所定の回転数で回転し、第１研磨ローラー１２，１４は、その所定の回転数よりも小さい回転数で回転する。第１研磨ローラー１１，１３，１５と第１研磨ローラー１２，１４とは、所定の回転数で回転するものと、その所定の回転数よりも小さい回転数で回転するものとが、ディスプレイ用カバーガラス５０の搬送経路に沿って交互に並べられている。
【００５７】
さらに、第１研磨ローラー１１，１３，１５と第１研磨ローラー１２，１４とは、回転方向が異なっており、ディスプレイ用カバーガラス５０の搬送方向に沿う方向に回転するものと、ディスプレイ用カバーガラス５０の搬送方向とは反対方向に回転するものとが、ディスプレイ用カバーガラス５０の搬送経路に沿って交互に並べられている。
【００５８】
第２研磨ローラー２１，２３，２５の回転方向と第２研磨ローラー２２，２４の回転方向とは逆向きである。第２研磨ローラー２２，２４は、所定の回転数で回転し、第２研磨ローラー２１，２３，２５は、その所定の回転数よりも小さい回転数で回転する。第２研磨ローラー２１，２３，２５と第２研磨ローラー２２，２４とは、所定の回転数で回転するものと、その所定の回転数よりも小さい回転数で回転するものとが、ディスプレイ用カバーガラス５０の搬送経路に沿って交互に並べられている。
【００５９】
さらに、第２研磨ローラー２１，２３，２５と第２研磨ローラー２２，２４とは、回転方向が異なっており、ディスプレイ用カバーガラス５０の搬送方向に沿う方向に回転するものと、ディスプレイ用カバーガラス５０の搬送方向とは反対方向に回転するものとが、ディスプレイ用カバーガラス５０の搬送経路に沿って交互に並べられている。
【００６０】
研磨装置５００によれば、研磨レートを向上させることができ、研磨ムラの発生を低減することが可能となっている。第１研磨ローラー１１，１３，１５の回転数と第２研磨ローラー２２，２４の回転数とは、同一であってもよく、異なっていてもよい。第１研磨ローラー１２，１４の回転数と第２研磨ローラー２１，２３，２５の回転数とは、同一であってもよく、異なっていてもよい。
【００６１】
（変形例）
上述の各実施の形態１〜５で用いられた各研磨ローラーにおいては、すべての研磨部材の先端が、同一半径を有する円周上に位置するような長さを有する研磨部材が用いられている。
【００６２】
図１１を参照して、第１研磨ローラー１１Ａでは、一方の端部１１Ａａ側に設けられた研磨部材に比べて、他方の端部１１Ａｂ側に設けられた研磨部材の方が、長さが長い。同様に、第２研磨ローラー２１Ａでは、一方の端部２１Ａａ側に設けられた研磨部材に比べて、他方の端部２１Ａｂ側に設けられた研磨部材の方が、長さが長い。
【００６３】
図１２を参照して、第１研磨ローラー１２Ａでは、一方の端部１２Ａａ側に設けられた研磨部材に比べて、他方の端部１２Ａｂ側に設けられた研磨部材の方が、長さが短い。同様に、第２研磨ローラー２２Ａでは、一方の端部２２Ａａ側に設けられた研磨部材に比べて、他方の端部２２Ａｂ側に設けられた研磨部材の方が、長さが短い。
【００６４】
上述の各実施の形態の研磨装置において、第１研磨ローラー１１，１３，１５の代わりに図１１に示すような第１研磨ローラー１１Ａを用いて、第１研磨ローラー１２，１４の代わりに図１２に示すような第１研磨ローラー１２Ａを用いる。第２研磨ローラー２１，２３，２５の代わりに図１１に示すような第２研磨ローラー２１Ａを用いて、第２研磨ローラー２２，２４の代わりに図１２に示すような第２研磨ローラー２２Ａを用いる。当該構成によれば、研磨ムラの発生をより一層低減することが可能となる。
【００６５】
［実施の形態６］
（研磨装置６００）
図１３は、本実施の形態における研磨装置６００を示す斜視図である。上述の各実施の形態の研磨装置においては、各研磨ローラーの回転軸と、ディスプレイ用カバーガラス５０とは平行な位置関係にある。
【００６６】
図１３に示す研磨装置６００のように、各研磨ローラーの回転軸と、ディスプレイ用カバーガラス５０とは垂直な位置関係にあってもよい。研磨装置６００においては、第１研磨ローラー１１Ｂ〜１４Ｂおよび第２研磨ローラー２１Ｂ〜２４Ｂの各々が、上側から下側に向かって延びる研磨部材と、下側から上側に向かって延びる研磨部材とを有している。
【００６７】
第１研磨ローラー１１Ｂ〜１４Ｂは、ディスプレイ用カバーガラス５０の搬送経路に沿って並べられ、矢印ＡＲ１１方向に回転する。第２研磨ローラー２１Ｂ〜２４Ｂも、ディスプレイ用カバーガラス５０の搬送経路に沿って並べられ、矢印ＡＲ２１方向に回転する。第１研磨ローラー１１Ｂ〜１４Ｂおよび第２研磨ローラー２１Ｂ〜２４Ｂは、ディスプレイ用カバーガラス５０の搬送経路を挟んで互いに反対側に位置している。
【００６８】
ディスプレイ用カバーガラス５０を研磨する際には、まず、ディスプレイ用カバーガラス５０が第１研磨ローラー１１Ｂおよび第２研磨ローラー２１Ｂの間に送り込まれる。第１研磨ローラー１１Ｂ〜１４Ｂおよび第２研磨ローラー２１Ｂ〜２４Ｂは、ディスプレイ用カバーガラス５０をその搬送経路の前方に向かって送り出すように回転する。第１研磨ローラー１１Ｂ〜１４Ｂおよび第２研磨ローラー２１Ｂ〜２４Ｂは、回転しながらディスプレイ用カバーガラス５０に摺接することによって、ディスプレイ用カバーガラス５０をその搬送経路に沿って矢印ＡＲ方向に搬送する。
【００６９】
第１研磨ローラー１１Ｂ〜１４Ｂは、遊離砥粒供給部材（図示せず）から供給される遊離砥粒を用いて、ディスプレイ用カバーガラス５０の表面５１を研磨するとともに、開口部（図示せず）の表面５１側の部分、および、端面の表面５１側の部分をそれぞれ研磨する。第２研磨ローラー２１Ｂ〜２４Ｂは、遊離砥粒供給部材（図示せず）から供給される遊離砥粒を用いて、ディスプレイ用カバーガラス５０の裏面５２を研磨するとともに、開口部（図示せず）の裏面５２側の部分、および、端面の裏面５２側の部分をそれぞれ研磨する。
【００７０】
要求される研磨の程度等に応じて、各研磨ローラーの回転方向、回転数、各研磨ローラーに用いられる研磨部材のディスプレイ用カバーガラス５０に対する圧接力、および、各研磨ローラーに用いられる研磨部材の種類などを異ならせてもよい。
【００７１】
研磨装置６００および研磨装置６００を用いた研磨方法によっても、ディスプレイ用カバーガラス５０の表裏面に存在していた欠陥の改善（換言すると、ディスプレイ用カバーガラス５０の表裏面に対する鏡面加工処理）と、ディスプレイ用カバーガラス５０の開口部および端面における面取り加工処理とを同時に行うことができる。研磨装置６００および研磨装置６００を用いた研磨方法によれば、ディスプレイ用カバーガラス５０を研磨する際の作業効率を向上させることが可能となっている。
【００７２】
本実施の形態における研磨装置６００では、図１３の紙面奥側から紙面手前側に向かってディスプレイ用カバーガラス５０を送り出してもよい（矢印ＤＲ参照）。矢印ＤＲの両側に位置する第１研磨ローラー１１Ｂ〜１４Ｂおよび第２研磨ローラー２１Ｂ〜２４Ｂを利用すれば、ディスプレイ用カバーガラス５０を研磨する際の作業効率をさらに向上させることが可能となっている。
【００７３】
［実施の形態７］
（研磨装置７００）
図１４は、本実施の形態における研磨装置７００を示す断面図である。研磨装置７００は、第１研磨ローラー１１〜１５（第１研磨ローラー１５のみを図示している）および第２研磨ローラー２１〜２５（第２研磨ローラー２５のみを図示している）に加えて、複数の第１洗浄ローラー６１〜６５と、複数の第２洗浄ローラー７１〜７５と、複数の洗浄液供給部材４１とを備えている。
【００７４】
複数の第１洗浄ローラー６１〜６５は、第１研磨ローラー１１〜１５よりもディスプレイ用カバーガラス５０の搬送経路の下流側に配置されている。第１洗浄ローラー６１〜６５は、ディスプレイ用カバーガラス５０の搬送方向（矢印ＡＲ方向）に沿って順に並んでいる。第１洗浄ローラー６１〜６５の回転軸は、互いに平行な位置関係にある。
【００７５】
複数の第２洗浄ローラー７１〜７５は、第２研磨ローラー２１〜２５よりもディスプレイ用カバーガラス５０の搬送経路の下流側に配置されている。第２洗浄ローラー７１〜７５は、ディスプレイ用カバーガラス５０の搬送方向（矢印ＡＲ方向）に沿って順に並んでいる。第２洗浄ローラー７１〜７５の回転軸も、互いに平行な位置関係にある。
【００７６】
第１洗浄ローラー６１〜６５および第２洗浄ローラー７１〜７５は、ディスプレイ用カバーガラス５０の搬送経路を挟んで互いに反対側に位置している。洗浄液供給部材４１は、第１洗浄ローラー６１〜６５および第２洗浄ローラー７１〜７５によって搬送されるディスプレイ用カバーガラス５０に対して洗浄液（図示せず）を供給可能なように、所定の箇所に配置されている。
【００７７】
第１洗浄ローラー６１〜６５は、表面に植えられた洗浄用部材（ブラシまたは布など）が、ディスプレイ用カバーガラス５０の搬送方向（矢印ＡＲ方向）に沿って回転移動するように回転する。第２洗浄ローラー７１〜７５も、表面に植えられた洗浄用部材（ブラシまたは布など）が、ディスプレイ用カバーガラス５０の搬送方向（矢印ＡＲ方向）に沿って回転移動するように回転する。
【００７８】
第１洗浄ローラー６１〜６５および第２洗浄ローラー７１〜７５は、ディスプレイ用カバーガラス５０をその搬送経路の前方に向かって送り出すように回転する。当該構成によって、第１洗浄ローラー６１〜６５および第２洗浄ローラー７１〜７５は、回転しながらディスプレイ用カバーガラス５０に摺接し、ディスプレイ用カバーガラス５０をその搬送経路に沿って矢印ＡＲ方向に搬送することができる。
【００７９】
（洗浄方法）
研磨後のディスプレイ用カバーガラス５０は、第１洗浄ローラー６１および第２洗浄ローラー７１の間に送り込まれる。第１洗浄ローラー６１〜６５および第２洗浄ローラー７１〜７５は、回転しながらディスプレイ用カバーガラス５０に順に摺接し、ディスプレイ用カバーガラス５０をその搬送経路に沿って矢印ＡＲ方向に搬送する。
【００８０】
第１洗浄ローラー６１〜６５は、洗浄液供給部材４１から供給される洗浄液を用いて、ディスプレイ用カバーガラス５０の表面５１をスクラブ洗浄するとともに、開口部５３の表面５１側の部分、開口部５４の表面５１側の部分、および、端面５５の表面５１側の部分をそれぞれスクラブ洗浄する。第２洗浄ローラー７１〜７５は、洗浄液供給部材４１から供給される洗浄液を用いて、ディスプレイ用カバーガラス５０の裏面５２をスクラブ洗浄するとともに、開口部５３の裏面５２側の部分、開口部５４の裏面５２側の部分、および、端面５５の裏面５２側の部分をそれぞれスクラブ洗浄する。
【００８１】
洗浄後のディスプレイ用カバーガラス５０は、各々の面に存在していた遊離砥粒が除去される。研磨装置７００および研磨装置７００を用いた研磨方法ないし洗浄方法によれば、ディスプレイ用カバーガラス５０の全周に存在していた遊離砥粒を同時に除去することができる。研磨装置７００および研磨装置７００を用いた研磨方法ないし洗浄方法によれば、ディスプレイ用カバーガラス５０を研磨ないし洗浄する際の作業効率を向上させることが可能となっている。
【００８２】
要求される洗浄の程度等に応じて、各洗浄ローラーの回転方向、回転数、各洗浄ローラーに用いられる洗浄部材のディスプレイ用カバーガラス５０に対する圧接力、および、各洗浄ローラーに用いられる洗浄部材の種類などを異ならせてもよい。
【００８３】
（変形例）
上述の各実施の形態において、第１研磨ローラー１１〜１５および第２研磨ローラー２１〜２５に用いられる研磨部材の種類は、研磨ブラシとして同一であってもよく、研磨布として同一であってもよく、これらを混在させて（たとえば研磨ブラシからなる研磨ローラーと研磨布からなる研磨ローラーとを交互に）用いてもよい。これらについては、実施の形態７における第１洗浄ローラー６１〜６５および第２洗浄ローラー７１〜７５についても同様である。
【００８４】
第１研磨ローラー１１〜１５および第２研磨ローラー２１〜２５に用いられる研磨部材の長さは、同一であってもよく、異なっていてもよく、これらを混在させて（たとえば長さの長い研磨部材を有する研磨ローラーと長さの短い研磨部材を有する研磨ローラーとを交互に）用いてもよい。これらについては、実施の形態７における第１洗浄ローラー６１〜６５および第２洗浄ローラー７１〜７５についても同様である。
【００８５】
上述の各実施の形態においては、ディスプレイ用カバーガラス５０が研磨される。上述の各実施の形態においては、以下に説明するディスプレイ用カバーガラス５０Ａ〜５０Ｃが研磨の対象として用いられてもよい。
【００８６】
（ディスプレイ用カバーガラス５０Ａ）
図１５は、上述の各実施の形態における研磨装置を用いて研磨することができるディスプレイ用カバーガラス５０Ａを示す平面図である。図１６は、図１５中のＸＶＩ−ＸＶＩ線に沿った矢視断面図である。図１７は、図１５中のＸＶＩＩ−ＸＶＩＩ線に沿った矢視断面図である。
【００８７】
図１５〜図１７を参照して、ディスプレイ用カバーガラス５０Ａは、全体として薄いほぼ平板状の形状を有し、端面５５の４つの角部は丸く形成されている。ディスプレイ用カバーガラス５０Ａは、外側の厚みの方が内側に厚みに比べて厚く、表面５１は凹面形状を有している。裏面５２は、平坦な形状を有している。
【００８８】
図１８は、実施の形態１における研磨装置１００を用いてディスプレイ用カバーガラス５０Ａを研磨する際の様子を示す断面図である。図１８に示すように、研磨装置１００および研磨装置１００を用いた研磨方法によれば、平板形状とは異なるディスプレイ用カバーガラス５０Ａに対しても、表裏面に存在していた欠陥の改善（表裏面に対する鏡面加工処理）と、開口部５３，５４および端面５５における面取り加工処理とを同時に行うことができる。
【００８９】
したがって、研磨装置１００および研磨装置１００を用いた研磨方法によれば、ディスプレイ用カバーガラス５０Ａを研磨する際の作業効率を向上させることが可能となっている。また、表面に凹面形状を持つディスプレイ用カバーガラス５０Ａのような立体形状のディスプレイ用カバーガラスであっても、容易に研磨することができる。これは、上述の実施の形態２〜７における研磨装置２００〜７００についても同様である。
【００９０】
（ディスプレイ用カバーガラス５０Ｂ）
図１９は、上述の各実施の形態における研磨装置を用いて研磨することができるディスプレイ用カバーガラス５０Ｂを示す平面図である。図２０は、図１９中のＸＸ−ＸＸ線に沿った矢視断面図である。図２１は、図１９中のＸＸＩ−ＸＸＩ線に沿った矢視断面図である。
【００９１】
図１９〜図２１を参照して、ディスプレイ用カバーガラス５０Ｂは、端面５５の４つの角部は丸く形成されている。ディスプレイ用カバーガラス５０Ｂは、全体として表面５１側が凹となり、裏面５２側が凸となるような湾曲面形状を有している。
【００９２】
図２２は、実施の形態１における研磨装置１００を用いてディスプレイ用カバーガラス５０Ｂを研磨する際の様子を示す断面図である。図２２に示すように、研磨装置１００および研磨装置１００を用いた研磨方法によれば、平板形状とは異なるディスプレイ用カバーガラス５０Ｂに対しても、表裏面に存在していた欠陥の改善（表裏面に対する鏡面加工処理）と、開口部５３，５４および端面５５における面取り加工処理とを同時に行うことができる。
【００９３】
したがって、研磨装置１００および研磨装置１００を用いた研磨方法によれば、ディスプレイ用カバーガラス５０Ｂを研磨する際の作業効率を向上させることが可能となっている。また、湾曲面形状を有するディスプレイ用カバーガラス５０Ｂのような立体形状のディスプレイ用カバーガラスであっても、容易に研磨することができる。これは、上述の実施の形態２〜７における研磨装置２００〜７００についても同様である。
【００９４】
（ディスプレイ用カバーガラス５０Ｃ）
図２３は、上述の各実施の形態における研磨装置を用いて研磨することができるディスプレイ用カバーガラス５０Ｃを示す平面図である。図２４は、図２３中のＸＸＩＶ−ＸＸＩＶ線に沿った矢視断面図である。図２５は、図２３中のＸＸＶ−ＸＸＶ線に沿った矢視断面図である。
【００９５】
図２３〜図２５を参照して、ディスプレイ用カバーガラス５０Ｃは、薄い平板状の形状を有する主面部５６と、主面部５６の外縁に連設され、主面部５６から外方に向かうにしたがって表面５１から遠ざかる方向に湾曲ないし屈曲する接続部５７と、接続部５７の外縁に連設された側面部５８と、を有する。
【００９６】
図２６は、実施の形態１における研磨装置１００を用いてディスプレイ用カバーガラス５０Ｃを研磨する際の様子を示す断面図である。図２６に示すように、研磨装置１００および研磨装置１００を用いた研磨方法によれば、平板形状とは異なるディスプレイ用カバーガラス５０Ｃに対しても、表裏面に存在していた欠陥の改善（表裏面に対する鏡面加工処理）と、開口部５３，５４および端面５５における面取り加工処理とを同時に行うことができる。
【００９７】
したがって、研磨装置１００および研磨装置１００を用いた研磨方法によれば、ディスプレイ用カバーガラス５０Ｃを研磨する際の作業効率を向上させることが可能となっている。また、主面部５６の外縁に側面部５８を有するディスプレイ用カバーガラス５０Ｂのような立体形状のディスプレイ用カバーガラスであっても、容易に研磨することができる。これは、上述の実施の形態２〜７における研磨装置２００〜７００についても同様である。
【００９８】
以上、本発明に基づいた各実施の形態について説明したが、今回開示された各実施の形態はすべての点で例示であって制限的なものではない。本発明の技術的範囲は特許請求の範囲によって示され、特許請求の範囲と均等の意味および範囲内でのすべての変更が含まれることが意図される。
【符号の説明】
【００９９】
１１，１１Ａ，１１Ｂ，１２，１２Ｂ，１３，１３Ｂ，１４，１４Ｂ，１５  第１研磨ローラー、１１Ａａ，１１Ａｂ，１２Ａａ，１２Ａｂ，２１Ａａ，２１Ａｂ，２２Ａａ，２２Ａｂ  端部、２１，２１Ａ，２１Ｂ，２２，２２Ｂ，２３，２３Ｂ，２４，２４Ｂ，２５  第２研磨ローラー、３０  搬送ベルト、４０  遊離砥粒供給部材、４１  洗浄液供給部材、５０，５０Ａ，５０Ｂ，５０Ｃ  ディスプレイ用カバーガラス、５１  表面、５２  裏面、５３，５４  開口部、５５  端面、５６  主面部、５７  接続部、５８  側面部、６１，６２，６３，６４，６５  第１洗浄ローラー、７１，７２，７３，７４，７５  第２洗浄ローラー、１００，２００，３００，４００，５００，６００，７００  研磨装置。
【図１】
2013220486.tif 000003
【図２】
2013220486.tif 000004
【図３】
2013220486.tif 000005
【図４】
2013220486.tif 000006
【図５】
2013220486.tif 000007
【図６】
2013220486.tif 000008
【図７】
2013220486.tif 000009
【図８】
2013220486.tif 000010
【図９】
2013220486.tif 000011
【図１０】
2013220486.tif 000012
【図１１】
2013220486.tif 000013
【図１２】
2013220486.tif 000014
【図１３】
2013220486.tif 000015
【図１４】
2013220486.tif 000016
【図１５】
2013220486.tif 000017
【図１６】
2013220486.tif 000018
【図１７】
2013220486.tif 000019
【図１８】
2013220486.tif 000020
【図１９】
2013220486.tif 000021
【図２０】
2013220486.tif 000022
【図２１】
2013220486.tif 000023
【図２２】
2013220486.tif 000024
【図２３】
2013220486.tif 000025
【図２４】
2013220486.tif 000026
【図２５】
2013220486.tif 000027
【図２６】
2013220486.tif 000028